(57)【特許請求の範囲】
【請求項１】
上枠と、下枠と、背板と、上下枠と背板とを連結するコーナージョイント部材と、側板と、表示面と、発光部や光反射板、電源部などで構成する発光ユニットとを備えており、  
上下枠と背板と側板とコーナージョイント部材は、押出形材で形成し、側板は、上下枠と背板とコーナージョイント部材の側端部に着脱自在に取り付けてあり、コーナージョイント部材は、上枠と下枠の幅長の全長にわたって連結してあり、
発光ユニットは、一側面または両側面に発光部や光反射板、電源部を取り付けてあり且つ表示面とほぼ平行に配置される支持板を有し、上枠と下枠の内周面の上下に対向する位置には、形材押出方向に連続する保持溝が設けてあり、保持溝は、背板とほぼ平行して延びており、上下の保持溝は、側板を取り外したときに、それぞれの側端部が開放し、開放した側端部から保持溝に沿って発光ユニットの支持板を差し入れることにより、発光ユニットの支持板の上下両端部をそれぞれスライド自在に保持することを特徴とする内照式表示体。
【発明の詳細な説明】
【技術分野】
【０００１】
本発明は、道路指示標識や店舗広告などに利用される内照式表示体に関するものである。
【背景技術】
【０００２】
特に道路案内標識にあっては、ドライバーや歩行者が常に情報を確認できる状況が担保されるべく、昼夜あるいは天候に左右されない明確な表示を目的とした内照式表示体が広く採用されている。これらは一般に、ボルトやネジなどの固定具を用いて上下、両側、背面を金属板で箱組みして中空の本体を形成し、さらに、表示面と対向する背板内周側において、蛍光管や光反射板などから構成される発光ユニットをネジやボルト、ナット等の固定具を用いて固定するものであった。また、開放している本体正面側には、一面に文字や絵柄などの案内情報を示すアクリル乳半をブラケットや挟持具などの支持具を介してネジやボルトで固定する構造である。上記のように形成された内照式表示体は、本体内部にン内蔵された発光部を発光させ、その光を光反射板やアクリル乳半で拡散することで、夜間でも表示面に情報が鮮明に照らし出され、道路を通行するドライバーや歩行者がその情報を容易に目視できる状態となる。
【先行技術文献】
【特許文献】
【０００３】
【特許文献１】特開２００２−１９７９０６号公報
【発明の概要】
【発明が解決しようとする課題】
【０００４】
上記のような内照式表示体にあっては、発光ユニットを本体に内蔵するときに、上下枠や背板に直接ネジやボルトを使って支持具を固定するものであったため、発光ユニットのメンテナンスの際には、ネジやボルトを外してから本体を分解して発光ユニットを取り出す必要があった。さらに、近年は発光部として蛍光管に換えてＬＥＤが使用されており、このＬＥＤは蛍光管に比べると薄型且つ小型であることから、省電力化が図られたり、あるいは、本体を薄型に形成できる半面、発光ユニットを支持する基盤も小さくなることで比較的耐久性が低く、したがって、ネジやボルトで本体側に固定するときに、締め付けが強くなれば破損するなどの欠点があった。
【０００５】
本発明は、上記課題を鑑みてなされたものであり、メンテナンス性がよく、しかも、堅牢な内照式表示体を提供することにある。
【課題を解決するための手段】
【０００６】
本発明は、上枠と、下枠と、背板と、上下枠と背板とを連結するコーナージョイント部材と、側板と、表示面と、発光部や光反射板、電源部などで構成する発光ユニットとを備えており、  上下枠と背板と側板とコーナージョイント部材は、押出形材で形成し、側板は、上下枠と背板とコーナージョイント部材の側端部に着脱自在に取り付けてあり、コーナージョイント部材は、上枠と下枠の幅長の全長にわたって連結してあり、発光ユニットは、一側面または両側面に発光部や光反射板、電源部を取り付けてあり且つ表示面とほぼ平行に配置される支持板を有し、上枠と下枠の内周面の上下に対向する位置には、形材押出方向に連続する保持溝が設けてあり、保持溝は、背板とほぼ平行して延びており、上下の保持溝は、側板を取り外したときに、それぞれの側端部が開放し、開放した側端部から保持溝に沿って発光ユニットの支持板を差し入れることにより、発光ユニットの支持板の上下両端部をそれぞれスライド自在に保持することを特徴とする。
【発明の効果】
【０００８】
本発明のうち請求項１記載の発明によれば、本体から側板を外して本体内部を開放し、本体の上下枠内周側の対向位置に設けてある各保持溝間に、発光ユニットの支持板の上下両端部をそれぞれ差し入れるとともに、支持板を保持溝に沿ってスライドさせて発光ユニットを本体内部に押し込むことで、発光ユニットを本体内部に簡単に取り付けできる。また、本体内に内蔵してある発光ユニットを保持溝に沿ってスライドさせれば簡単に取り外せるので、メンテナンス性が向上して管理のしやすい内照式表示体を提供できる。
【０００９】
本発明のうち請求項２記載の発明によれば、上下枠と背板とコーナージョイント部材を押出形材で形成し、上下枠内周側の対向位置に、形材押出方向に連続する保持溝を設けることにより、本体を組み立てたときに保持溝を対向位置に誤差なく位置させることが容易であり、また、保持溝の精度が高く、発光ユニットを本体に内蔵したときにほぼ垂直な状態で支持できる。しかも、メンテナンスの際、発光ユニットをスライドさせたときに受ける本体への衝撃や摩擦に対して堅牢な状態となる。
【図面の簡単な説明】
【００１０】
【図１】（ａ）は、本実施による内照式表示体として道路標識用内照灯を示す図３（ａ）中Ａ−Ａ線縦断面図であり、（ｂ）は、（ａ）中の本体上部を拡大した側面図である。
【図２】本実施による道路標識用内照灯の組立手順を示す簡略化した斜視図である。
【図３】（ａ）は、本実施による道路標識用内照灯の全体を示す斜視図であり、（ｂ）は、発光ユニットを保持溝で保持する状態を示す斜視図である。
【発明を実施するための最良の形態】
【００１１】
以下に、図面に基づいて本実施による内照式表示体として、道路標識用内照灯の実施の形態を説明する。
【００１２】
本実施による道路標識用内照灯は、図１（ａ）（ｂ）と図２を参照すれば、一面側に様々な情報の表示面６を有する縦横ほぼ同寸の箱型をなしており、上枠２と、下枠３と、上下枠２，３の背面側端部間をつなぐ背板４と、上下枠２，３の正面側端部間に配する表示面６とを有する矩形箱型をなし、このうち上枠２、下枠３、背板４は、中空押出形材からなっており、上枠２と背板４及び下枠３と背板４は、同じく中空押出形材からなるコーナージョイント部材５ａ，５ｂで連結してある。また、上記の中空押出形材構成部分の開放した両側端部には、本体１内部を塞ぐ側板１１をそれぞれ有しており、側板１１は、外周部側から蝶ネジ４８で固定し、本実施による道路標識用内照灯の本体１を構成している（図２参照）。さらに、本体１内部には、照明光源となるＬＥＤ９や光反射板１０、電源部４５等を両側面に取り付ける支持板４３とからなる発光ユニット３０を、上下枠２，３内周側の対向位置に設けた保持溝４７に対し、その上下両端部をスライド式に脱着自在に取り付けてある。
【００１３】
道路標識用内照灯の本体１を構成する上下枠２，３と背板４は、図１（ａ）（ｂ）のように、すべて同一の中空押出形材が使用されており、本体１の外周部側と内周部側に位置し且つ平行な配置関係にある内周壁部２ａ，３ａ，４ａと外周壁部２ｂ，３ｂ，４ｂと、内周壁部２ａ，３ａ，４ａと外周壁部２ｂ，３ｂ，４ｂの両端を繋ぐ端面壁部２ｃ，３ｃ，４ｃとからほぼ矩形状に形成してある。また、内周壁部２ａ，３ａ，４ａまたは外周壁部２ｂ，３ｂ，４ｂのほぼ中央部には、形材押出方向に沿う断面ほぼ凹状をなす溝部２ｄ，３ｄ，４ｄが設けてある。溝部２ｄ，３ｄ，４ｄの形状については、溝内周両側部の溝開口とほぼ面一となる位置から各々内向きに突出する突状１８が各々設けてあり、両突状１８によって溝開口が狭められる。この溝部２ｄ，３ｄ，４ｄを利用し、上下枠２，３の溝部２ｄ，３ｄ，４ｄにボルトヘッド１２ａを挿入してスライドさせ、さらに、ナット１３で締結したときに、ボルトヘッド１２ａが両突状１８の溝部２ｄ，３ｄ，４ｄに面する内周側に係止する。また、端面壁部２ｃ，３ｃ，４ｃには、コーナージョイント部材５ａ，５ｂと係止するための被係止部１５が設けてあり、この被係止部１５は、内周壁部２ａ，３ａ，４ａまたは外周壁部２ｂ，３ｂ，４ｂとほぼ平行な方向に突出する垂直片と、垂直片の突出先端部から端面壁部２ｃ，３ｃ，４ｃとほぼ平行な方向に突出する水平片とからなる、ほぼＬ字状をなしている。
【００１４】
コーナージョイント部材５ａ，５ｂは、同じく、図１（ａ）（ｂ）を参照すれば、断面ほぼ三角形状をなす中空押出形材であり、本体１コーナー部の入隅角度を設定する一対の連結壁部１６ａと、各連結壁部間をつなぐ円弧状をなす露出壁部１６ｂとからなっている。また、連結壁部１６ａには、連結壁部１６ａから離れる方向に突出する垂直片と、垂直片の突出先端から連結壁部と平行する方向に突出する水平片とからなるほぼＬ字状をなす係止部１７を有しており、係止部１７は、本体１を形成したときの連結壁部１６ａにおける内周側と外周側間で間隔をあけた二箇所にあり、各係止部１７間には、ほぼ半円状に窪んだ挿入孔形成溝が設けてある。
【００１５】
そして、上記した上下枠２，３と背板４とコーナージョイント部材５ａ，５ｂとの連結については、図１（ａ）（ｂ）を参照すれば、上枠２または下枠３の被係止部１５にコーナージョイント部材５ａ，５ｂのいずれか一方の係止部を、コーナージョイント部材５ａ，５ｂの形材押出方向に沿ってスライドしながら係止し、係止部と被係止部の互いの水平片同士で奥行き方向と上下方向の抜け出しを規制する。また、コーナージョイント部材５ａ，５ｂと上下枠２，３あるいは背板４を係止したときに、互いの挿入孔形成溝が対向してほぼ円形状をなし、且つ形材押出方向に延びる挿入孔２０を形成する。そして、連結して形成された上記挿入孔２０に、図示は省略するが上下枠２，３の形材長とほぼ同じ長さの棒材を挿通するとともに、挿入孔２０の両側の孔開口部に各々ピン２３を嵌入して棒材長手方向端部を両側から内向きに押圧することで、ピン２３の先端に押し込まれた棒材が彎曲して上下枠２，３とコーナージョイント部材５ａ，５ｂ、および、背板４とコーナージョイント部材５ａ，５ｂの双方を押し拡げる方向に押圧する。これにより、コーナージョイント部材５ａ，５ｂと上下枠２、３および背板４の連結が強固になる。
【００１６】
そして、図１（ａ）（ｂ）と図２のように、上枠２と下枠３の内周側には、押出形材からなるアダプタ４０ａ，４０ｂがそれぞれ取り付けてある。このアダプタ４０ａ，４０ｂは、断面上向き又は下向きほぼコ字状の狭巾のものと広巾の２つの押出形材からなっており、幅広のもの（アダプタ４０ｂ）の内周側に巾狭のもの（アダプタ４０ａ）を配置し上下に重ね、両アダプタ４０ａ，４０ｂ正面側と背面側に形成される二つの間隙部により、後述するが、表示面６の取付溝４６と発光ユニット３０を保持する保持溝４７とをそれぞれ設ける。また、上下のアダプタ４０ａ，４０ｂは、上下の対向位置に固定してあり、また、アダプタ４０ａ，４０ｂの上枠２および下枠３の各内周側への固定には、上下枠２，３に設けてある溝部２ｄ，３ｄが利用される。具体的には、上下に重ねた両アダプタ４０ａ，４０ｂにボルト１２を連通し、ボルト頭部側を溝部２ｄ、３ｄの長手方向端側からスライドして係止することにより、ナット１３で締めることで固定される。尚、図中の符号３３は、中空押出形材からなる端部キャップである。
【００１７】
表示面６は、ほぼ正方形状をなすアクリル乳半による板体であり、外周面側に地名や路面状況などの文字や絵柄による情報が印刷されたフィルムを貼着してある（図２及び図３（ａ）参照）。また、発光ユニット３０は、フラットな樹脂板の一面（正面）側のほぼ全面にわたり、四方を囲む光反射板１０で区画された多数の電球態様のＬＥＤ９が碁盤目状に配置されており、ＬＥＤ９は、配線を内蔵したＬＥＤ基盤４４に取り付けられている。また、支持板４３の他面（背面）側には、本体１外部に延びる電源コードやインバータ、冷却ファンなどを具備した電源部４５が取り付けてある。
【００１８】
上述した本体１内部に表示面６及び発光ユニット３０を取り付けるとき、図２を参照すれば、表示面６を構成するパネル一側端を本体１上枠２および下枠３のアダプタ４０ａ，４０ｂの正面側に配する取付溝４６に差込み、そのまま、取付溝４６に沿ってスライドさせることにより、図３（ｂ）のように、表示面６が本体１内周側の上下の両取付溝４６間で保持される。また、発光ユニット３０についても、支持板４３のＬＥＤ９取付面側を本体１正面側に向け、さらに、支持板４３の一側端をアダプタ４０ａ，４０ｂの背面側に配する間隙部による保持溝４７に差し込み、この保持溝４７に沿ってスライドさせることにより、発光ユニット３０が本体１上下の保持溝４７で安定的に保持される。
【００１９】
本実施のものは発光ユニット３０の発光部としてＬＥＤ９を用いているが、例えば、蛍光管や白熱電球などの他の発光手段であってもよい。また、本実施では中空押出形材を用いて本体１を形成しているが、中空押出形材に替えて本体１をソリッド材で形成したり、あるいは、ソリッド材を連結して中空状にした複合材で形成することも可能である。さらに、保持溝４７については、本実施のものでは、二つのアダプタ４０ａ，４０ｂを組み合わせて形成しているが、単体のアダプタとして押出一体成形したものや、上下枠２，３と一体成形してあるものでもよい。また、保持溝４７における発光ユニット３０の支持板４３と当接する部位に、当接面が滑面形成されたパッキン４１を取り付けてもよい（図１（ｂ）参照）。このようにすると、保持溝４７に発光ユニット３０を脱着するとき、発光ユニット３０が保持溝４７に沿って円滑にスライドするとともに、取付た後にも本体１内で発光ユニット３０のガタツキが抑えられる。また、本体１の形状についても上記実施形態では、縦横ほぼ同一寸法としたが、縦長や横長に形成してもよく、その形状は限定しない。
【符号の説明】
【００２０】
１  本体
２  上枠（押出形材）
３  下枠（押出形材）
４  背板（押出形材）
５ａ，５ｂ  コーナージョイント部材
６  アクリル乳半板（表示面）
９  ＬＥＤ（発光部）
１０  光反射板（発光ユニット）
４３  支持板（発光ユニット）
４５  電源部（発光ユニット）
３０  発光ユニット
４７  保持溝
【図１】
0005733918.tif 000002
【図２】
0005733918.tif 000003
【図３】
0005733918.tif 000004